(57)【特許請求の範囲】
【請求項１】
ブラシ整流子構成体(1)を伴う電気機械において、
少なくとも２つのブラシ(3)、及び
整流子(5)、
を備え、各ブラシ(3)及び整流子(5)は、電気機械の動作時に、ブラシ(3)及び整流子(5)が横変位方向(7)に互いに変位され、そしてブラシ(3)の接触面(9)が重畳エリア(13)に沿って整流子(5)の接触面(11)に接触して、重畳エリア(13)に沿ってブラシ(3)と整流子(5)との間に電気的接触を発生し、そして重畳エリア(13)を通してブラシ(3)と整流子(5)との間に電流が伝達されるように、適応され且つ配置され、
各接触面(9,11)に直交する方向(25)におけるブラシ(3)及び整流子(5)の少なくとも一方の直交導電率は、横変位方向(7)に沿って局部的に変化し、及び
ブラシ(3)及び整流子(5)の少なくとも一方における直交導電率分布は、電気機械を最大許容電力で動作するときでも、相対的な回転運動中にブラシ(3)及び整流子(5)を互いに変位する間に全空間構成の少なくとも９０％について、重畳エリア(13)を通る電流密度がブラシ整流子構成体(1)を通る定格最大平均電流密度の１３０％を越えないように、適応される、電気機械。
【請求項２】
横変位方向(7)に関して、
ブラシ(3)の第１区分(15)の直交導電率は、ブラシ(3)の第１区分(15)の下流に配置されたブラシ(3)の第２区分(19)の直交導電率より高く、及び
整流子(5)の第１区分(21)の直交導電率は、整流子(5)の第１区分(21)の上流に配置された整流子(5)の第２区分(23)の直交導電率より高い、
のうちの少なくとも１つである、請求項１に記載の電気機械。
【請求項３】
ブラシ(3)の第１区分(15)内の単位面積全体にわたる平均直交導電率は、ブラシ(3)の第２区分(19)内の単位面積全体にわたる平均直交導電率より少なくとも５倍高く、及び
整流子(5)の第１区分(21)内の単位面積全体にわたる平均直交導電率は、整流子(5)の第２区分(23)内の単位面積全体にわたる平均直交導電率より少なくとも５倍高い、
のうちの少なくとも１つである、請求項２に記載の電気機械。
【請求項４】
ブラシ(3)及び整流子(5)の少なくとも一方は、横変位方向(7)に沿って互いに後方に配置されて異なる直交導電率を有する少なくとも第１区分(15)、第２区分(17)及び第３区分(19)を含む、請求項１から３のいずれか１つに記載の電気機械。
【請求項５】
ブラシ(3)の第１区分(15)内の単位面積全体にわたる平均直交導電率は、ブラシ(3)の第２区分(17)内の単位面積全体にわたる平均直交導電率より少なくとも５倍高く、且つブラシ(3)の第２区分(17)内の単位面積全体にわたる平均直交導電率は、ブラシ(3)の第３区分(19)内の単位面積全体にわたる平均直交導電率より少なくとも５倍高く、及び
整流子(5)の第１区分(21)内の単位面積全体にわたる平均直交導電率は、整流子(5)の第２区分(23)内の単位面積全体にわたる平均直交導電率より少なくとも５倍高く、且つ整流子(5)の第２区分(23)内の単位面積全体にわたる平均直交導電率は、整流子(5)の第３区分内の単位面積全体にわたる平均直交導電率より少なくとも５倍高い、
のうちの少なくとも１つである、請求項４に記載の電気機械。
【請求項６】
ブラシ(3)及び整流子(5)の少なくとも１つにおいて、直交導電率は、横変位方向(7)に連続的に変化する、請求項１から５のいずれか１つに記載の電気機械。
【請求項７】
ブラシ(3)及び整流子(5)の少なくとも１つにおいて、直交導電率は、横変位方向(7)に段階的に変化する、請求項１から５のいずれか１つに記載の電気機械。
【請求項８】
ブラシ(3)及び整流子(5)の少なくとも１つにおいて、導電率は異方性であり、各接触面(9,11)に直交する方向(6)における直交導電率は、各接触面(9,11)に平行な方向における横方向導電率より実質的に高い、請求項１から７のいずれか１つに記載の電気機械。
【請求項９】
直交導電率は、横方向導電率より少なくとも５０％高い、請求項８に記載の電気機械。
【請求項１０】
ブラシ(3)及び整流子(5)の少なくとも一方は、炭素が導電率に大きく貢献する材料から作られる、請求項１から９のいずれか１つに記載の電気機械。
【請求項１１】
ブラシ(3)及び整流子(5)の少なくとも一方の直交導電率は、炭素マトリクスに含まれる黒鉛薄片、バインダー成分及び窒化硼素の少なくとも１つの含有量変化の結果として横変位方向(7)に沿って局部的に変化する、請求項１０に記載の電気機械。
【請求項１２】
前記電気機械は、燃料ポンプに適用されるように適応される、請求項１から１１のいずれか１つに記載の電気機械。
【請求項１３】
請求項１から１２のいずれか１つに記載の電気機械を備えた乗物用の燃料ポンプ。
【発明の詳細な説明】
【技術分野】
【０００１】
本発明は、ブラシ整流子構成体を備えた電気機械に関する。
【背景技術】
【０００２】
電気機械は、電動機又は発電機として働き、種々の用途に適用することができる。多数の形式の電気機械が存在する。ある形式では、回転子が固定子に対して回転し、そして回転子は、回転子に含まれた電磁石により発生される磁界と、固定子に含まれた永久磁石又は電磁石により発生される磁界との相互作用により駆動される。そのような解決策では、回転子及びその電磁石に電力を供給しなければならない。
【０００３】
通常、そのような電力供給には、ブラシ整流子構成が使用される。典型的に、２つ以上のブラシが、固定位置、例えば、固定子に設けられ、そして２つ以上の薄膜(lamellae)をもつ整流子が回転子に設けられる。整流子は、ブラシに対して可動である。ブラシは、ＤＣ電源のような電源に電気的に接続される。整流子は、固定子の電磁石に電気的接続される。ブラシは、それが整流子の表面に機械的に接触する接触エリアを経て整流子に電気的に接触する。電気機械の動作中、ブラシは、回転する整流子の表面上をスライドして、回転子の電磁石に電力を供給する。
【０００４】
電気機械及びそこに含まれるブラシ整流子構成体の一例がＷＯ２００９／０８３４３３Ａ１に記載されている。
【発明の概要】
【発明が解決しようとする課題】
【０００５】
ブラシ整流子構成体を含む電気機械を動作する際には、ブラシ及び／又は整流子に著しい磨耗が生じることが観察されている。
【０００６】
そこで、例えば、動作時の磨耗が少ないブラシ整流子構成体を含む改善された電気機械が要望される。
【課題を解決するための手段】
【０００７】
そのような要望は、独立請求項に記載の電気機械により満足される。好都合な実施形態は従属請求項に記載されている。
【０００８】
本発明のある観点によれば、少なくとも２つのブラシ及び整流子より成る特定のブラシ整流子構成体を伴う電気機械が提案される。ここで、ブラシ及び整流子の各々は、電気機械を動作する際に、ブラシ及び整流子が横変位方向に互いに変位され、そしてブラシの接触面が重畳エリアに沿って整流子の接触面と機械的に接触状態となって、重畳領域に沿ってブラシと整流子との間に電気的接触を生じるように、適応され及び配置される。そのような電気的接触の際に、重畳エリアを通してブラシと整流子との間に電流が伝達される。更に、ブラシ及び／又は整流子の接触面に直交する方向におけるブラシ及び／又は整流子の導電率は、各々、横変位方向に沿って局部的に変化する。ブラシ及び／又は整流子の接触面に直交する方向、ひいては、変位方向に直交する方向におけるそのような導電率は、ここでは、「直交導電率」と称される。ブラシ及び／又は整流子の直交導電率分布は、電気機械を最大許容電力で動作するときでも、ブラシ及び整流子を互いに変位する間に全空間構成の少なくとも９０％について、重畳エリアを通る電流密度が、ブラシ整流子構成体を通る定格最大平均電流密度の１３０％を越えないように、特に適応されねばならない。
【０００９】
本発明の実施形態の基礎となるアイデア及び観察は、以下に詳細に述べるが、幾つかの一般的なアイデア及び観察は、次のように要約される。
【００１０】
ブラシと整流子との間にスパークが生じて、ブラシ整流子構成体の磨耗及び劣化の要因となることが観察されている。そのようなスパークは、特に、ブラシの接触面と整流子の接触面との重畳エリアのサイズが減少するとき、即ち整流子の回転中にブラシが整流子薄膜の横縁上を移動するときに、発生する。
【００１１】
これら作用は、観察されているが、せいぜい質的に理解されているだけであり、本発明の発明者は、そのような作用のある程度の量的な理解を許し、ひいては、そのような作用を減少し又は防止もするために量的な尺度の定義を許すモデルを開発した。
【００１２】
特に、ブラシ又は整流子を形成するのに使用される材料の特性は、ブラシ又は整流子の材料の直交導電率、即ち接触面に直交する方向における導電率が、接触面に平行な方向に変化するように影響されることが分かった。従って、直交導電率は、例えば、ブラシ又は整流子の先縁に近い領域、即ちブラシ及び整流子の接触面が互いに回転するときに最初に接触する領域の方が、後縁に近い領域よりも高い。
【００１３】
導電率に関するブラシ又は整流子の材料特性のそのような適応は、例えば、ＷＯ２００９／０８３４３３  Ａ１に記載されたように従来の電気機械において既に遂行されているが、そのような適応の作用は、量的に理解もモデリングもされていない。従って、量的なモデル又はシミュレーションに基づいて直交導電率の変化を最適化することはできていない。
【００１４】
本発明者は、ブラシ整流子構成体の特性が量的にシミュレーション及び分析されるモデルを開発した。
【００１５】
シミュレーション結果の分析で、ブラシと整流子との重畳エリアを通る電流密度が、ブラシ整流子構成体を通る定格最大平均電流密度の１３０％を越えないように又は好ましくは１１０％を越えないように、ブラシ及び／又は整流子の直交導電率が適応されたとき、ブラシ整流子構成体の特性が改善されることが明らかになった。
【００１６】
以下“ＲＭＡＥＣＤ”と省略される定格最大平均電流密度は、ブラシ又は整流子のための所与の導電性材料について、ブラシと整流子との間の典型的な接触エリアにわたる平均値としてブラシ／整流子材料の製造者又は供給者により一般的に指示された、越えてはならない電流密度である。
【００１７】
電気機械を最大許容電力、即ち、例えば、電気機械の製造者により定格付けされた最大電力で動作するときでも、電流密度の制限を適用しなければならない。
【００１８】
ブラシ整流子構成体の考えられる全ての構成について、即ち相対的な回転運動中にブラシに対する整流子の考えられる全ての位置について電流密度を適宜に制限することは好都合であるが、ブラシ及び整流子の互いの変位中に全ての空間的構成の少なくとも９０％について電流密度を適宜に制限すれば充分である。
【００１９】
ブラシ又は整流子の材料特性を適当に選択するか又は適当に作用させる結果としてブラシ又は整流子の変化する直交導電率に特に適応することにより、ブラシ整流子構成体の磨耗を著しく減少できることが実験で示された。特に、例えば、ブラシの直交導電率がブラシの区分において変化して、ブラシを整流子に対して変位する間に、電流密度がブラシ構成体を通る定格最大平均電流密度を越える構成が全くないか又はほんの僅かだけの場合には、スパーク発生が著しく抑制されて磨耗劣化を減少できることが観察された。
【００２０】
一実施形態によれば、横変位方向に関して、ブラシの第１区分の直交導電率は、ブラシの第１区分の下流に配置されたブラシの第２区分の直交導電率よりも高い。それとは別に又はそれに加えて、整流子の第１区分の直交導電率は、整流子の第１区分の上流に配置された整流子の第２区分の直交導電率よりも高い。
【００２１】
換言すれば、一般的に、ブラシ及び／又は整流子の薄膜の直交導電率は、その先縁に近い方が、その後縁に近い方に比して高くなければならない。従って、ブラシが整流子薄膜の後縁に接近してその上を移動し、そしてブラシの接触面と整流子の接触面との重畳エリアが次第に減少するときには、そのように減少する重畳エリアを通る電流は、次第に低下する直交導電率のために減少する。その結果、電流密度は、ＲＭＡＥＣＤの１３０％又は１１０％の限界を越えないか又は非常に短時間越えるだけとなり、そしてスパイクの発生は、全くないか又は僅かだけとなる。
【００２２】
一実施形態によれば、ブラシの第１区分内の単位面積全体にわたる平均直交導電率は、ブラシの第２区分内の単位面積全体にわたる平均直交導電率より少なくとも５倍、好ましくは１０倍高い。それとは別に又はそれに加えて、整流子の第１区分内の単位面積全体にわたる平均直交導電率は、整流子の第２区分内の単位面積全体にわたる平均直交導電率より少なくとも５倍、好ましくは１０倍高い。
【００２３】
換言すれば、ブラシの先縁及び／又は整流子の薄膜に近い単位面積における平均直交導電率は、後縁に近い単位面積より５倍以上又は１０倍以上高いのが好ましい。ブラシ及び／又は整流子の薄膜の接触面の横変位方向に沿った直交導電率のそのような著しい変化は、スパーク又はアーク発生を有効に抑制することが分かった。
【００２４】
別の実施形態によれば、ブラシ及び／又は整流子は、少なくとも、横変位方向に沿って互いに後方に配置されて異なる直交導電率を有する第１区分、第２区分及び第３区分を備えている。
【００２５】
換言すれば、ブラシ及び／又は整流子の薄膜は、異なる区分を形成する少なくとも３つの層を備え、第１区分は先縁に接近し、第２区分は中央にあり、そして第３区分は後縁に接近している。これら区分は、例えば、異なる材料又は材料組成の結果として直交導電率が異なる。
【００２６】
一実施形態によれば、ブラシ及び／又は整流子の第１区分内の単位面積全体にわたる平均直交導電率は、各々、ブラシ及び／又は整流子の第２区分内の単位面積全体にわたる平均直交導電率より、少なくとも５倍、好ましくは、少なくとも１０倍高い。更に、ブラシ及び／又は整流子の第２区分内の単位面積全体にわたる平均直交導電率は、各々、ブラシ及び／又は整流子の第３区分内の単位面積全体にわたる平均直交導電率より、少なくとも５倍、好ましくは、少なくとも１０倍高い。
【００２７】
換言すれば、ブラシ及び／又は整流子の薄膜は、後縁に近い領域よりも先縁に近い領域の方が少なくとも２５倍高い直交導電率を有する。ブラシ及び／又は整流子の薄膜の接触面の横変位方向に沿った直交導電率のそのような著しい変化は、スパーク又はアーク発生を有効に抑制することが分かった。
【００２８】
一実施形態によれば、ブラシ及び／又は整流子において、直交導電率は、横変位方向に連続的に変化する。
【００２９】
換言すれば、直交導電率は、横変位方向に沿って、好ましくは、先縁に近い高い値からブラシ／薄膜の後縁に近い低い値へと徐々に変化する。そのように徐々に変化する直交導電率は、整流子薄膜に対するブラシの変位全体にわたり電流密度の過剰ピーク値の発生を防止する上で役立つ。しかしながら、横変位方向に沿って直交導電率が連続的に変化する材料を準備することが技術的な課題となる。
【００３０】
別の実施形態によれば、ブラシ及び／又は整流子において、直交導電率は、横変位方向に段階的に変化する。
【００３１】
換言すれば、ブラシ及び／又は整流子の薄膜は、横変位方向に沿って互いに後方に配置された種々の区分を有し、各区分は、単一の均質な直交導電率を有する。そのような均質な単一区分は、製造及び積層が容易である。
【００３２】
一実施形態によれば、ブラシ及び／又は整流子において、導電率は、異方性であり、各接触面に直交する方向の直交導電率は、各接触面に平行な方向の横方向導電率より実質的に高い。
【００３３】
換言すれば、ブラシ及び／又は整流子の材料は、その導電率に関して等方性ではない。むしろ、横方向よりも各接触面に直交する方向に著しく高い導電率を示している。そのような異方性は、ブラシ／整流子材料の異方性特性から生じる。例えば、材料は、粒子が主として特定の方向に向けられる粒状構造を有する。そのような異方性のために、電流は、直交方向に容易に流れ、即ち、例えば、後側でブラシ又は薄膜に接触する電源ラインから各反対の前側接触面へ流れる。しかしながら、変位方向に平行な横方向電流は、この方向の導電率が低いために流れ難い。
【００３４】
この実施形態の特定の態様によれば、直交導電率は、横方向導電率より少なくとも５０％高い。例えば、直交導電率及び横方向導電率は、少なくとも２の係数、好ましくは、少なくとも５、１０又はそれ以上の係数で相違する。そのような係数は、例えば、特定タイプの黒鉛を使用することにより、及び／又は六方晶窒化硼素を黒鉛本体に合体することにより、得られる。
【００３５】
一実施形態によれば、ブラシ及び／又は整流子は、炭素が導電率に対して主たる貢献をなす材料から作られる。
【００３６】
換言すれば、ブラシ及び／又は整流子の薄膜は、例えば、黒鉛材料の実質的な体積部分から作られる。この黒鉛材料は、ブラシ／整流子の全導電率に主たる貢献をなす。一般的に、これは、例えば、銅含有量が黒鉛含有量より高くそして主たる部分又は装置の導電率をなす多くの従来のブラシ／整流子とは対照的である。
【００３７】
ここに示す実施形態によれば、任意に、バインダーのような添加物、又は金属粒子のような導電性粒子が基本材料に含まれるが、ブラシ／整流子の主たる導電率をなすことはない。そのような主たる炭素系材料は、ブラシ及び／又は薄膜の有利な特性を与える。例えば、黒鉛材料は、摩擦係数を減少し、磨耗が少ない。黒鉛結晶の形状及び真性異方性は、一般的に、しばしば整流に役立つ部品導電率の異方性の原点である。付加的な銅は、ある用途では、その高い導電率のために高い電気的性能を与える上で役立つ。
【００３８】
一実施形態によれば、ブラシ及び／又は整流子の直交導電率は、炭素マトリクスに含まれた黒鉛薄片、バインダー成分及び窒化硼素の少なくとも１つの変化する含有量の結果として、横変位方向に沿って局部的に変化する。
【００３９】
換言すれば、炭素系材料では、直交導電率は、材料に含まれる黒鉛薄片の含有量又はサイズ分布を意図的に変化することによって変化される。それとは別に又はそれに加えて、バインダー成分、及び炭素マトリクスにおけるその濃度が変化される。更に、それとは別に又はそれに加えて、窒化硼素の粒子、又は他の薄膜材料の粒子、例えば、ＭｏＳ2又はＷＳ2粒子は、変化する濃度で炭素マトリクスに含まれ、その導電率に影響を及ぼす。
【００４０】
一実施形態によれば、電気機械は、燃料ポンプに適用される。特に、乗物の燃料ポンプのための電気機械では、それらのブラシ及び／又は整流子に、ここに述べる変化する直交導電率を与えたときに、磨耗が著しく減少される。乗物の燃料ポンプでは、電気機械は、ブラシ及び／又は整流子に接触する液体燃料のような特定の条件の下で動作しなければならない。従来の燃料ポンプでは、そのような条件は、スパークの発生をサポートすると思われ、これは、本発明の特定の実施形態で抑制することができる。しかしながら、本発明の実施形態は、乗物の電気スターターのための電動機、或いは乗物又は他の用途におけるＡＢＳ（アンチブロッキングシステム）構成のための電動機のような他の電気機械にも適用することができる。
【００４１】
本発明の実施形態の考えられる特徴及び効果は、電気機械又はブラシ整流子構成体の種々の細部に関して以下に説明することを指摘しておく。当業者であれば、種々の特徴は、更に別の実施形態を生成し及びおそらく相乗作用を得るように結合、変更又は置き換えできることが認識されよう。
【００４２】
本発明の実施形態の考えられる観点、特徴及び効果は、添付図面を参照した特定の実施形態の以下の説明から明らかであり、前記説明及び添付図面は、本発明を限定するものと解釈されてはならない。
【図面の簡単な説明】
【００４３】
【図１】ブラシ整流子構成体の原理を示す電気機械の前面図である。
【図２】本発明の実施形態による電気機械のブラシ整流子構成体の部分側面図である。
【図３】図２のＡ−Ａ線に沿った本発明の実施形態による電気機械のブラシ整流子構成体におけるブラシ及び整流子の区分及び重畳エリアを示す図である。
【発明を実施するための形態】
【００４４】
添付図面は、概略的なものに過ぎず、正しいスケールではない。種々の図面全体を通じて同じ又は同様の特徴部は、同じ参照符号で示されている。
【００４５】
図１は、電気機械１００の基本的な特徴を示す。電気機械１００は、固定子１０２及び回転子１０４を備えている。固定子１０２は、固定子１０２の周囲に沿って配置された複数の永久磁石又は電磁石（図示せず）を備えている。回転子１０４は、回転子１０４の周囲に沿って配置された電磁石（図示せず）を備えている。回転子１０４は、固定された固定子１０２に対して軸１０６の周りで回転される。
【００４６】
回転可能な回転子１０４の電磁石に電力を供給するために、ブラシ整流子構成体１が設けられる。ブラシ整流子構成体１は、少なくとも２つのブラシ３と、少なくとも２つの薄膜２を有する整流子５とを備えている。ブラシ３は、固定位置に配置され、例えば、固定子１０２に固定される。整流子５は、回転子１０４と一緒に回転し、例えば、そこに固定される。
【００４７】
従って、電気機械１００を動作する際には、電力がブラシ３から整流子５へ伝送され、次いで、電磁石へ更に伝送される。そのような電力供給時に電磁石が磁界を発生しそしてそれら磁界が固定子１０２の永久磁石により発生される磁界と相互作用するとき、回転子１０４が固定子１０２に対して回転するような力が回転子１０４に発生される。そのような回転時に、整流子５は、ブラシ３に対して連続的に変位される。図１に示す簡単な設計では、そのような変位は、ほぼ１８０°の回転に対して続く。次いで、ブラシ３は、整流子５のギャップ８に到達し、そのようなギャップは、整流子５の第１の薄膜２を整流子５の第２の薄膜２から分離している。ブラシ３の各々が後縁６において整流子５の２つの薄膜２の一方との接触を解除し、次いで、先縁４において整流子の薄膜２の他方と接触状態になるとき、回転子４の電磁石に供給される電気の極性が逆転される。そのような逆転により、回転子１０４は、回転運動を継続し、そして整流子５は、図１に矢印で示すように、ブラシ３に対して横変位方向７に連続的に変位される。
【００４８】
回転子１０４が回転し、それに対応して横変位方向７に整流子５が移動するとき、ブラシ３の接触面９は、整流子５の薄膜２の接触面１１に沿ってスライドしてそれと接触し、ブラシ３から整流子５へ電流が伝達される。そのような回転の際に、ブラシの接触面９は、先ず、先縁４において整流子５の薄膜２に接触し、次いで、接触面１１に沿って移動し、そして最終的に、後縁６において接触が解除される。先縁４がブラシ３に到達すると、整流子５の接触面１１が、先ず、ブラシ３の先縁１０においてブラシ３の接触面９に接触し、そして整流子５がほぼ１８０°回転した後に、ブラシ３の接触面９の後縁１２において接触が解除される。
【００４９】
ブラシ整流子構成体１の磨耗及び腐食は、主として、整流子５の薄膜２及びブラシ３の各々先縁４、１０及び特に後縁６、１２に発生することが観察された。
【００５０】
一般的に、電気的接触を形成する２つの本体間でのスパーク又はアークは、特定の点火電圧を越え及び最小接触電流が流れたときだけ発生すると仮定する。
【００５１】
例えば、２つの炭素接点が電気的接点を形成するときに、そのような点火電圧は２０Ｖ程度であり、そして最小接触電流は少なくとも約１００ｍＡである。一般的に、点火電圧及び最小接触電流は、とりわけ、接点の材料及びそれらの形状又はトポグラフィーに依存する。
【００５２】
電気機械の通常の動作条件のもとでは、理論的に、いかなる時点でも点火電圧及び最小接触電流を越えてはならない。しかしながら、そのような理論は、電気機械のブラシ整流子構成体に外部から供給される電圧及び電流に基づくもので、ブラシ３の接触面９と整流子５の接触面１１との間の接触面積が大きいと仮定している。
【００５３】
しかしながら、そのような巨視的な大きな接触面積は、おそらく、ブラシ３及び整流子５の接触面９、１１間の接触の微視的な現実を正確に表わしていない。実際に、これらの接触面９、１１は、理想的な平面ではなく、それ故、一方ではブラシ３の接触面９、及び他方では整流子５の接触面１１、の隣接部分の全エリアに沿って広い機械的接触面積を形成するものではない。むしろ、サイズが平方マイクロメータ程度の微視的な小さな接触スポットが見掛け上形成される。そのような接触スポットが形成されるため、電流は、ブラシ３から広い重畳接触面を通して整流子５へ流れないが、接触スポットの限定エリアのみに集中しなければならない。従って、これらの接触スポットでは、著しく高い局部的電流密度が生じる。
【００５４】
これは、接触スポットを通る導通メカニズムで、それにより局部的電流密度の増加が生じ、最終的に、ブラシ３と整流子５との間にスパーク又はアークが生じると仮定する。
【００５５】
特に、ブラシ３が整流子５の薄膜２間のギャップ８にあるか又はそれに接近したとき、ブラシ３の接触面９の部分的エリアだけが整流子５の接触面１１の部分的エリアに接触する。従って、接触面９、１１の後縁６、１２においてブラシ３と整流子５との間の電気的接触を完全に解除する直前に、これら接触面９、１１間の接触スポットを通して伝達される電力が著しく増加する。伝達される電力のそのような増加のため、接触スポットの局部的欠陥が生じ得る。例えば、ブラシ３及び／又は整流子５の材料は、急激に加熱して溶融又は蒸発し、ブラシ３が整流子５の後縁６に接近したとき接触スポットの幾つか又は全部が突然遮断される。しかしながら、その時点では、整流プロセスがまだ終了せず、即ちコイルの電流がまだその整流値に到達しておらず及び／又はブラシ３がギャップ８に完全に到達しておらず、回転子１０４の電磁石の巻線の電流が短期間に著しく変化する。その結果、大きな電圧が誘起される。この誘起された電圧は、次いで、ブラシ３と整流子５との間の電位差を著しく増加させて、点火電圧を越える。そのような過剰電圧は、ブラシ３と整流子５との間の電気的接触が急激に遮断する瞬間に、そのような電圧でのアーク点火に必要な最小接触電流を依然越える電流とあいまって、ブラシ３と整流子５との間にアーク点火を生じさせる。
【００５６】
本発明者は、ブラシ整流子構成体におけるアーク及びスパーク発生を説明するために考えられる前記理論をコンピュータモデルへと実施した。このコンピュータモデルを使用して種々のシミュレーションが遂行され、そしてシミュレーション結果とじっけんとの間の良好な対応関係が観察された。
【００５７】
シミュレーション結果の分析に基づき、本発明者は、ブラシ３の接触面９と整流子５の接触面１１との間の重畳エリアを通る電流密度は、ある電流密度限界より低く維持するように制限しなければならないことが分かった。
【００５８】
電流密度のそのような制限は、変位方向７に沿ったブラシ３に対する整流子５の変位中に全ての空間的構成に対して考えられるものではないが、電流密度は、全てのそのような空間的構成の少なくとも９０％、或いは好ましくは少なくとも９５％又は９８％に対して最大電流密度限界より低く制限されねばならない。
【００５９】
特定のブラシ整流子構成体の最大電流密度限界を決定することは、困難な作業であることが分かっている。一般的に、そのような限界は、電気接点を形成する材料、及び電気接点を形成する接触面９、１１の構造的特性に強く依存している。材料特性は、とりわけ、材料の比電気抵抗率、そのような電気抵抗率の異方性、電気抵抗率の空間的分布、温度振舞い、等を含む。構造的特性は、とりわけ、接触面９、１１の平滑さ又は曲率のような表面特性、或いはそのような接触面９、１１間の重畳エリアの幾何学形状を含む。そのような多数の影響のため、特定のブラシ整流子構成体の最大電流密度限界を正確に決定することは困難である。実際に、特定のタイプ及び構成の接触に対してそのような限界値を決定するために特定のシミュレーション及び／又は実験を遂行する必要がある。
【００６０】
しかしながら、本発明者は、そのような限界値を決定するための適当なそして信頼性のある近似を、ブラシ整流子構成体１を通る定格最大平均電流密度に基づいて実行できると分かった。そのような定格最大平均電流密度“ＲＭＡＥＣＤ”は、ブラシ３、整流子５、又は全ブラシ整流子構成体１の製造者により一般的に指示される値である。ブラシ３の接触面９と整流子５の接触面１１との間の重畳エリアを通る電流密度が、ブラシ整流子構成体１を通る定格最大平均電流密度の１３０％を越えず、好ましくは、１１０％を越えないときに、ブラシ整流子構成体１の磨耗又は腐食が著しく減少されることが分かっている。
【００６１】
本発明の基礎となる主たるアイデアとして、ブラシ及び／又は整流子の直交導電率分布を特別に適応させることによって重畳エリアを通る電流密度をそのような最大限界値より低く制限することが明らかである。直交導電率は、横変位方向７に沿って変化するように適応されねばならない。好ましくは、直交導電率は、整流子５及び／又はブラシ３の後縁６、１２に近いエリアの方が、そのような後縁６、１２の更に上流のエリア、即ち各先縁４、１０に近いエリアより相当に小さくセットされる。
【００６２】
一般的に、一種の「経験則」として、ブラシ整流子構成体１を有する電気機械の満足な整流を達成するためには、ブラシ３と整流子５の薄膜２との間の接触エリアの導電率は、以下の仮定及び／又は要件が満足されるように適応されねばならない。
【００６３】
−ブラシ３及び／又は整流子５の直交導電率は、後縁１２、６から離れたエリアでは大きくなければならず、且つ後縁１２、６に向かって減少しなければならない。特に、そのような直交導電率は、ブラシ３の接触面９と整流子５の薄膜２の接触面１１との間の重畳エリアにおける接触スポットの数と比べたときに後縁１２、６に向かって比例的に減少しなければならない。
【００６４】
−従って、ブラシ３と整流子５との間の接触をオープンする直前の時間の整流子５への電流、及びそれに対応する電流密度は、ブラシ整流子構成体１を通る定格最大平均電流密度の例えば１３０％の特定許容限界値より低く制限される。
【００６５】
−従って、ブラシ３と整流子５との間の電気接点がもはや伝送電力を搬送しない状態が適当に防止される。
【００６６】
−回転子１０４の電磁石の整流コイルの電力供給は、整流子５の先行薄膜２へのブラシ３の接触を最終的にオープンする充分前に整流子５の次の薄膜２により引き継がれ、早期に完全な整流が行えるようにする。
【００６７】
ここでは、ブラシ３の接触面９と整流子５の接触面１１との重畳エリアを通る電流密度が、ブラシ整流子構成体１を通る定格最大平均電流密度（ＲＭＡＥＣＤ）の１３０％を越えないように、ブラシ３及び／又は整流子５の直交導電率分布を適応させねばならないことが教示されたので、ＲＭＡＥＣＤは、一般的に、任意の値ではなく、ブラシ整流子構成体１ごとに特別に決定されることに注意されたい。
【００６８】
典型的に、ＲＭＡＥＣＤは、ブラシ整流子構成体の製造者によりデータシート書面に指示される。ＲＭＡＥＣＤは、一般的に、変化する値の電流密度を伝送する際にブラシ整流子構成体のある磨耗又は劣化特性を評価する実験に基づいて決定される。
【００６９】
例えば、実験で使用される整流子リング又はスリップリングは、ブラシに接触され、そしてブラシ整流子構成体のその後の実際の動作について仮定したものと同様の条件のもとで動作される。先ず、電流密度の低い値が確立され、そしてブラシ及び／又は整流子の関連磨耗が決定される。次いで、電流密度が次第に増加され、そしてブラシ及び／又は整流子の磨耗が監視される。特定の電流密度を越えると、そのような磨耗は、急激に増加し始める。磨耗が２０％増加する電流密度が、典型的に、ＲＭＡＥＣＤとしてセットされる。
【００７０】
ＲＭＡＥＣＤを決定するためのそのような実験では、例えば、ブラシへの電源ラインは、実験結果が主としてブラシ整流子構成体に使用された材料の特性を表わし且つそれが例えばブラシの特定の設計又は電源ラインの寸法により著しく影響されないことを保証するに充分な断面積を有することを考慮しなければならないことを述べておく。
【００７１】
以下、本発明の特定の実施形態の幾つかの特徴を、図２及び３を参照して詳細に説明する。
【００７２】
図２は、本発明の実施形態による電気機械のブラシ整流子構成体１の部分側面図である。図３は、そのブラシ整流子構成体１におけるブラシ３及び整流子５の区分及び重畳エリアを示す図である。
【００７３】
ブラシ３及び／又は整流子５は、主として、炭素系材料より成る。そのような炭素系材料において、炭素は、材料の導電率に対して主な貢献をなし、即ち材料の導電率の５０％以上、好ましくは９０％以上、又は９５％以上もの貢献をなす。炭素粒子又は炭素マトリクスに加えて、炭素系材料は、とりわけ、黒鉛薄片、バインダー成分及び／又は窒化硼素粒子を含む。これらの添加物は、基本材料の導電率に影響する。例えば、炭素材料に含まれる窒化硼素の影響が米国特許第７，５８６，２３０  Ｂ２号に記載されている。
【００７４】
しかしながら、主として炭素系材料より成るブラシ３及び／又は整流子５を設けることは、例えば、潤滑又は磨耗特性に関しては有益であるが、著しい量の金属粒子、例えば、銅粒子をブラシ３及び／又は整流子５に含ませることを除外してはならないことに注意されたい。
【００７５】
ブラシ３及び／又は整流子５又はその区分は、炭素粒子を含み且つ上述したように更に別の添加物も任意に含む粉末をプレス及び焼結することにより形成される。そのようなプレス及び焼結のために、炭素粒子の粒が典型的に形成され、それにより生じる炭素系材料は、異方性の物理的特性を得る。
【００７６】
例えば、そのような材料の導電率は、粒子を横切る方向に比して粒子に沿った方向において異なる。そのような異方性導電率特性は、ここに述べるブラシ整流子構成体１にとって有益である。
【００７７】
ブラシ３の接触面９又は整流子５の接触面１１に直交する方向２５の導電率は、ここでは、「直交導電率」と称される。この直交導電率は、主として、ブラシ整流子構成体１の電気的特性に影響する。というのは、一般的に、電気機械における電流は、主として、この直交導電率の方向にブラシ整流子構成体１を通して供給されるからである。図２の矢印２５に垂直な方向、ひいては、接触面９、１１に平行な方向の横方向導電率は、直交導電率より著しく小さく、例えば、直交導電率の半分以下である。導電率のそのような異方性は、ブラシ整流子構成体１を通る電流が主として接触面９、１１に直交する方向２５に流れるが、それら接触面９、１１に平行な方向には実質的に流れないことをサポートする。
【００７８】
図２は、ブラシ３が３つの区分１５、１７、１９を含むブラシ整流子構成体１を示している。第１区分１５は、ブラシ３の先縁１０又はその付近に配置される。換言すれば、ブラシ整流子構成体１を動作し、そして図２及び３において矢印７で示す横変位方向にブラシ３及び整流子５を互いに移動するとき、ブラシ３の第１区分１５が先ず整流子５に接触する。第２区分１７は、第１区分１５に隣接配置され、その後に整流子５に接触する。最後に、第３区分１９は、先縁１０から最も遠くにあり、ブラシ３の後縁１２に最も接近している。
【００７９】
同様に、整流子５にも複数の区分が設けられている。図２及び３に示す実施形態では、整流子は、先縁４に接近した第１区分２１、及び後縁６に接近した第２区分を含む。
【００８０】
ブラシ３及び整流子５の各１つ又は両方は、２つ、３つ又はそれ以上のそのような区分１５、１７、１９、２１、２３を有する。
【００８１】
ブラシ３の第１区分１５は、第２区分１７より直交導電率が高く、そして第２区分１７は、第１及び第２区分１５、１７の下流に配置されたブラシ３の第３区分１９より直交導電率が高い。従って、先縁１０に接近する方が、後縁１２に接近するより、ブラシの直交導電率は著しく高い。同様に、整流子５の第１区分２１は、第２区分２３より直交導電率が高く、整流子５の直交導電率も、その先縁４に近い方が、その後縁６に近いより高い。
【００８２】
種々の区分１５、１７、１９、２１、２３の直交導電率は、例えば、５以上の係数、好ましくは、１０以上の係数で異なる。換言すれば、第１区分１５の直交導電率は、第２区分１７の直交導電率より５倍以上高く、そして第３区分１９の直交導電率より２５倍以上高い。
【００８３】
ブラシ整流子構成体１の特定例において、導電率ではなく電気抵抗率で表すと、第１区分１５の直交電気抵抗率は、９μΩｍであり、第２区分１７の直交電気抵抗率は、４５μΩｍであり、そして第３区分１９の直交電気抵抗率は、２２５μΩｍである。これら第１、第２及び第３区分１５、１７、１９の横方向電気抵抗率は、３倍高く、即ち各々、２７μΩｍ、１３５μΩｍ及び６７５μΩｍである。換言すれば、横方向電気抵抗率は、対応的に、各区分１５、１７、１９において、直交導電率より３倍低い。
【００８４】
図２及び３に示す実施形態では、ブラシ３及び整流子５は、両方とも、多数の区分１５、１７、１９、２１、２３を含むが、直交導電率の変化するそのような多数の区分をブラシ３及び整流子５の一方のみに設ければ充分であることに注意されたい。
【００８５】
更に、ここに示す実施形態では、区分１５、１７、１９、２１、２３は、直交導電率が横変位方向７に段階的に変化するように確立されるが、直交導電率のそのような変化は、徐々に又は連続的に確立されてもよい。換言すれば、１つの同じ区分内に均質な直交導電率を有する区分１５、１７、１９、２１、２３が図２及び３を参照して説明したが、そのような直交電気抵抗率は、横変位方向７全体を通して連続的に変化し、例えば、ブラシ３又は整流子５の各々先縁１０、４に近い位置から後縁１２、６に近い位置へと連続的に減少する。
【００８６】
ブラシ整流子構成体１のブラシ３及び／又は整流子５に、ここに述べるように、横変位方向７に沿った方向に変化する直交導電率を与えると、ブラシ３の接触面９と整流子５の接触面１１との間の重畳エリア１３を通る電流密度は、横変位方向７に沿ったブラシ３及び整流子５の変位中のほぼ全ての空間的構成に対して、電流密度がブラシ整流子構成体１を通る定格最大平均電流密度の１３０％を越えないように、作用を受ける。
【００８７】
又、重畳エリア１３が小さく且つ整流子５及びブラシ３の後縁６、１２に接近していてＲＭＡＥＣＤの１３０％より低い状態にある空間的構成において電流密度を制限することにより、電気機械の整流中の過剰なスパーク又はアーク発生が防止され、そしてブラシ整流子構成体１の磨耗及び劣化が減少される。その結果、電気機械の寿命及び信頼性が改善される。
【００８８】
最後に、「備える(comprise)」、「有する(have)」、等の語は、更なる付加的な要素の存在を排除するものではないことを指摘しておく。又、「一(a)」又は「１つ(one)」といった語は、複数の要素又は要旨の存在を除外するものではない。又、「Ａ及びＢの少なくとも１つ」といった語は、「Ａ及び／又はＢ」を意味するものと解釈される。請求項における参照番号は、理解を容易にするものに過ぎず、請求項の保護範囲を何ら限定するものではない。
【符号の説明】
【００８９】
１：ブラシ整流子構成体
２：整流子の薄膜
３：ブラシ
４：整流子の先縁
５：整流子
６：整流子の後縁
７：横変位方向
８：整流子薄膜間のギャップ
９：ブラシの接触面
１０：ブラシの後縁
１１：整流子の接触面
１２：ブラシの後縁
１３：重畳エリア
１５：ブラシの第１区分
１７：ブラシの第２区分
１９：ブラシの第３区分
２１：整流子の第１区分
２３：整流子の第２区分
２５：接触面に直交する方向
１００：電気機械
１０２：固定子
１０４：回転子
１０６：軸
【図１】
0006326590.tif 000002
【図２】
0006326590.tif 000003
【図３】
0006326590.tif 000004